(57)【特許請求の範囲】
【請求項１】
光ファイバ（４）同士を光接続する多数の光接続部（５）およびその接続余長（６）を、棚状に積層された複数の光接続部収納トレー（７）に整理して収納する光ファイバケーブル用接続端子函であって、
二つ割りに分割可能な円筒状スリーブ（１）と、このスリーブの軸線方向両端部にそれぞれ設置され光ファイバケーブル（３）を把持する把持金具（２）と、スリーブの軸線方向両端部の把持金具間を連結する連結板（１０）と、前記把持金具に把持された光ファイバケーブルから導出された光ファイバ同士の光接続部及び接続余長を収納する光接続部収納トレーを複数積層状態に保持するトレー保持部材（２４）を回動自在に支持する回動支持具（２１）と、光接続部収納トレーの回動軌跡に出没して、光接続部収納トレーと当接することにより光接続部収納トレーの回動を規制し、かつ光接続部収納トレーの荷重を支持する支持部材（３０）とを具備し、
前記回動支持具は、前記連結板に固定された支持具本体（２２）と、前記トレー保持部材と、このトレー保持部材をスリーブの軸線に平行な軸線を以て回動自在に支持するヒンジ（２３）とを具備し、
前記支持具本体には、トレー保持部材からスリーブの軸線と平行に突設されたピン（２７）が移動可能に挿入されて、該ピンを前記ヒンジの回動軸線を中心とする円周方向にガイドするガイド溝（２８）が形成され、
前記ガイド溝から突出した前記ピンの先端に形成されているネジ螺着部（２９）に、前記トレー保持部材の前記支持具本体に対する相対回動を許可、規制可能な固定部材としての固定ネジ（２５）が螺着され、
固定ネジは、ネジ螺着部先端に締め付けたり締め付けを解除することにより、トレー保持部材との間で支持具本体を挟持、挟持解除して、支持板の回動を規制、規制解除するようになっており、
前記複数の光接続部収納トレー相互間は回動連結手段によって前記ヒンジの回動軸線と平行な軸線を以て相対回動可能に連結されていることを特徴とする光ファイバケーブル用接続端子函。
【請求項２】
前記支持具本体は、Ｌ字状の部材であって、一側が連結板に沿って配置され、他側が連結板のスリーブ内側壁に臨む端部から垂直上方に向けられ、
支持具本体のＬ字の屈曲部（２６）の内面側に、前記ヒンジが配置されていることを特徴とする請求項１記載の光ファイバケーブル用接続端子函。
【請求項３】
固定ネジを緩めてトレー保持部材を回動することで、作業目的の光接続部収納トレーの作業面の角度を調整できることを特徴とする請求項１又は２記載の光ファイバケーブル用接続端子函。
【請求項４】
前記連結板に、２つの前記回動支持具が、前記連結板に沿った方向の設置位置が互いに異なるようにして設けられていることを特徴とする請求項１〜３のいずれかに記載の光ファイバケーブル用接続端子函。
【発明の詳細な説明】
【０００１】
【発明の属する技術分野】
本発明は、光ファイバ同士を光接続する多数の光接続部およびその接続余長を、棚状に積層された複数の光接続部収納トレーに整理して収納する光ファイバケーブル用接続端子函に関する。
【０００２】
【従来の技術】
光ファイバ同士を光接続する多数の光接続部およびその接続余長を、棚状に積層された複数の光接続部収納トレーに整理して収納する光接続部の収納構造は、例えば、光ファイバケーブル用接続端子函に適用されている。図３および図４は、従来の光接続部の収納構造が適用された光ファイバケーブル用接続端子函であって、二つ割りに分割可能な円筒状スリーブ１の軸線方向両端部にそれぞれ設置した把持金具２によって光ファイバケーブル３を把持するとともに、把持した一対の光ファイバケーブル３のそれぞれから導出した光ファイバ４を光接続部５を介して接続し、光接続部５およびその接続余長６を薄板状に形成された複数枚の光接続部収納トレー７内に整理して収納している。前記光接続部収納トレー７は、スリーブ１中央部に設置した支持金具８のトレー支持板９上に積層され、支持金具８によってトレー支持板９とともにスリーブ１の軸線と平行な軸線を以て回動自在に支持されるようになっている。
【０００３】
前記支持金具８は、図４および図５に示すように、スリーブ１軸方向両端の把持金具２間を連結する連結板１０に固定された支持金具本体１１と、前記トレー支持板９と、支持金具本体１１のスリーブ１の側部に臨む側板１２に設けられ、トレー支持板９をスリーブ１の軸線と平行な軸線を以て回動自在に支持するヒンジ１３と、トレー支持板９の回動を規制可能な規制金具１４とを備えている。規制金具１４は、ネジ１５の締め付け力によって側板１２に対して着脱されるようになっている。支持金具本体１１に装着された規制金具１４の上部は、ヒンジ１３から突出されたトレー支持板９の当接部１６が当接されることにより、トレー支持板９の回動を一定の範囲に規制するようになっている。また、支持金具８は、規制金具１４を支持金具本体１１から離脱しておけば、トレー支持板９を自由に回動することができるようになっている。
【０００４】
積層状態の各光接続部収納トレー７相互間は、図示しない回動連結手段によってヒンジ１３の回動軸線と平行な軸線を以て相対回動可能に連結されている。光接続部５としては、光コネクタ等が適用される。光コネクタにおいて光ファイバ４の接続切り替え等を行うために目的の光接続部収納トレー７について作業を行う場合には、ヒンジ１３を中心とする光接続部収納トレー７の回動と回動連結手段を中心とする光接続部収納トレー７相互の回動とを利用して目的の光接続部収納トレー７の作業面を露出させる。
【０００５】
【発明が解決しようとする課題】
ところで、前記のような光接続部の収納構造の場合、積層状態の光接続部収納トレー７を傾斜させたり、回動連結手段を利用して一部の光接続部収納トレー７を他の光接続部収納トレー７に対して分離回動させた際に、例えば、図６に示すように、一部の光接続部収納トレー７に分離回動した光接続部収納トレー７の荷重が光接続部収納トレー７の変形力として作用して、光接続部収納トレー７が変形したり回動連結手段が故障することが懸念される。光接続部収納トレー７が変形すると、光接続部収納トレー７内部に収納した光ファイバ４や光接続部５における光信号の伝送に影響を与える可能性がある。光接続部収納トレー７の積層数が多くなると変位力が増大するため、前記問題は、光接続部収納トレー７の積層数を増大できない原因となっていた。
【０００６】
本発明は、前述の課題に鑑みてなされたもので、光接続部収納トレーの変形を防止して、光信号の伝送の信頼性が向上する光ファイバケーブル用接続端子函を提供することを目的とするものである。
【０００７】
【課題を解決するための手段】
本発明では、前記課題を解決するため、光ファイバ（４）同士を光接続する多数の光接続部（５）およびその接続余長（６）を、棚状に積層された複数の光接続部収納トレー（７）に整理して収納する光ファイバケーブル用接続端子函であって、二つ割りに分割可能な円筒状スリーブ（１）と、このスリーブの軸線方向両端部にそれぞれ設置され光ファイバケーブル（３）を把持する把持金具（２）と、スリーブの軸線方向両端部の把持金具間を連結する連結板（１０）と、前記把持金具に把持された光ファイバケーブルから導出された光ファイバ同士の光接続部及び接続余長を収納する光接続部収納トレーを複数積層状態に保持するトレー保持部材（２４）を回動自在に支持する回動支持具（２１）と、光接続部収納トレーの回動軌跡に出没して、光接続部収納トレーと当接することにより光接続部収納トレーの回動を規制し、かつ光接続部収納トレーの荷重を支持する支持部材（３０）とを具備し、前記回動支持具は、前記連結板に固定された支持具本体（２２）と、前記トレー保持部材と、このトレー保持部材をスリーブの軸線に平行な軸線を以て回動自在に支持するヒンジ（２３）とを具備し、前記支持具本体には、トレー保持部材からスリーブの軸線と平行に突設されたピン（２７）が移動可能に挿入されて、該ピンを前記ヒンジの回動軸線を中心とする円周方向にガイドするガイド溝（２８）が形成され、前記ガイド溝から突出した前記ピンの先端に形成されているネジ螺着部（２９）に、前記トレー保持部材の前記支持具本体に対する相対回動を許可、規制可能な固定部材としての固定ネジ（２５）が螺着され、固定ネジは、ネジ螺着部先端に締め付けたり締め付けを解除することにより、トレー保持部材との間で支持具本体を挟持、挟持解除して、支持板の回動を規制、規制解除するようになっており、前記複数の光接続部収納トレー相互間は回動連結手段によって前記ヒンジの回動軸線と平行な軸線を以て相対回動可能に連結されていることを前記課題の解決手段とした。
請求項２記載の発明は、請求項１記載の光ファイバケーブル用接続端子函において、前記支持具本体は、Ｌ字状の部材であって、一側が連結板に沿って配置され、他側が連結板のスリーブ内側壁に臨む端部から垂直上方に向けられ、支持具本体のＬ字の屈曲部（２６）の内面側に、前記ヒンジが配置されていることを特徴とする。
請求項３記載の発明は、請求項１又は２記載の光ファイバケーブル用接続端子函において、固定ネジを緩めてトレー保持部材を回動することで、作業目的の光接続部収納トレーの作業面の角度を調整できることを特徴とする。
請求項４記載の発明は、請求項１〜３のいずれかに記載の光ファイバケーブル用接続端子函において、前記連結板に、２つの前記回動支持具が、前記連結板に沿った方向の設置位置が互いに異なるようにして設けられていることを特徴とする。
【０００８】
【発明の実施の形態】
以下本発明の実施の形態を、図１および図２を参照して説明する。図中符号２０は、本実施の形態の光ファイバケーブル用接続端子函である。なお、図中、図３から図５と同一の構成部分には同一の符号を付し、その説明を簡略化する。前記光ファイバケーブル用接続端子函２０は、前記図３から図５記載の光ファイバケーブル用接続端子函において、支持金具８にかえて符号２１の回動支持具を設けたものである。
【０００９】
前記回動支持具２１は、図１および図２に示すように、連結板１０に固定された支持具本体２２と、回動支持機構としてのヒンジ２３と、複数の光接続部収納トレー７を積層状態に支持し、ヒンジ２３によってスリーブ１の平行な軸線を以て回動自在に支持されたトレー保持部材としての支持板２４と、回動支持具２１のスリーブ１軸線方向に突設され、前記支持板２４の支持具本体２２に対する相対回動を許可、規制可能な固定部材としての固定ネジ２５とを備えている。
【００１０】
前記支持具本体２２は、連結板１０に固定されたＬ字状の部材であって、一側が連結板１０に沿って配置され、他側が連結板１０のスリーブ１内側壁に臨む端部から垂直上方に向けられている。支持具本体２２のＬ字の屈曲部２６の内面側には、前記ヒンジ２３が配置されている。前記屈曲部２６には、支持板２４のスリーブ１の軸線と平行に突設されたピン２７が移動可能に挿入され、該ピン２７をヒンジ２３の回動軸線を中心とする円周方向にガイドするガイド溝２８が形成されている。
【００１１】
前記ピン２７の先端は、ガイド溝２８を貫通してスリーブ１軸線方向に突出するようになっている。ガイド溝２８から突出したピン２７の先端には、前記固定ネジ２５が螺着可能なネジ螺着部２９が形成されている。このネジ螺着部２９は、平面視、支持板２４および該支持板２４上に支持した光接続部収納トレー７の外側に突出しているので、スリーブ１の開放時には、ネジ螺着部２９に螺着した固定ネジ２５が露出するようになっている。固定ネジ２５は、ネジ螺着部２９先端に締め付けたり締め付けを解除することにより、支持板２４との間で支持具本体２２を挟持、挟持解除して、支持板２４の回動を規制、規制解除するようになっている。
【００１２】
連結板１０には、光接続部収納トレー７の回動軌跡に出没して、光接続部収納トレー７と当接することにより光接続部収納トレー７の回動を規制し、かつ光接続部収納トレー７の荷重を支持する支持部材としての回転バー３０が取り付けられている。回転バー３０は、連結板１０に設けられた回転軸３０ａを中心として連結板１０と平行な回転平面上を回転自在とされ、連結板１０の外方に出没可能とされている。
【００１３】
光接続部収納トレー７の一部には、カプラ収納トレー３１を適用しもよい（図２参照）。このカプラ収納トレー３１は、上面上に複数の光接続部収納トレー７を積層状態に支持し、これら光接続部収納トレー７とともに積層構造を構成するようになっている。
【００１４】
以下前記光ファイバケーブル用接続端子函２０の作用および効果を説明する。
前記光ファイバケーブル用接続端子函２０は、目的の光接続部収納トレー７において光ファイバ４の接続切り替え等の作業を行う場合には、スリーブ１を取り外し、固定ネジ２５を緩めて支持板２４をヒンジ２３の軸回りに回動してスリーブ１の外側に移動する。こうすることにより、回動した支持板２４に支持されている全ての光接続部収納トレー７の側面が平面視露出する。
この際、固定ネジ２５は、平面視、支持板２４およびこの支持板２４上の光接続部収納トレー７のスリーブ１の軸線方向に沿った方向で外側に露出しているので、その位置が分かりやすく、しかも容易に操作することができる。また、ピン２７がガイド溝２８に挿通状態のまま移動するので、これらピン２７のネジ螺着部２９に固定ネジ２５を締め付けることにより、支持板２４をその回動軌跡の任意位置で固定することができる。
【００１５】
支持板２４を適切量回動したら固定ネジ２５を締め付けて支持板２４を固定し、目的の光接続部収納トレー７を隣接して積層されている光接続部収納トレー７と分離し、回動連結手段を利用して回動することにより作業面を開放する。こうすることにより、目的の光接続部収納トレー７の作業面を作業性が確保できる角度に保持したまま作業を行うことができる。
また、光接続部収納トレー７の作業面の角度を調整する場合には、固定ネジ２５を緩めて支持板２４を適切量回動し、再度固定ネジ２５を締め付ける。
この際、回転バー３０を連結板１０の外側に回転して、分離されて外側に回動した光接続部収納トレー７の下方に突出させて該光接続部収納トレー７の荷重を支持することにより、一部の光接続部収納トレー７に分離した側の光接続部収納トレー７の荷重が作用することを防止する。回転バー３０は、使用しない場合には連結板１０の下方に収納されるので、光ファイバケーブル用接続端子函２０を大型化することはない。
【００１６】
したがって、本実施の形態の光ファイバケーブル用接続端子函２０によれば、回動連結手段を利用して分離回動された光接続部収納トレー７の荷重を回転バー３０で支持して、一部の光接続部収納トレー７に分離した側の光接続部収納トレー７の荷重が作用することを防止するので、光接続部収納トレー７の変形が防止され、光接続部収納トレー７内に収納した光接続部５や接続余長６における光信号の伝送を安定に保持することができる。その結果、光接続部収納トレー７の積層数を増加することが可能となり、より多心の光ファイバケーブル３の接続に対応することができる光ファイバケーブル用接続端子函２０を提供することができる。
【００１７】
なお、支持部材としては、光接続部収納トレー７の荷重を支持可能な構成であれば、前記回転バー３０に限られない。
【００１８】
【発明の効果】
以上説明したように、本発明によれば、光接続部収納トレーを複数積層状態に保持するトレー保持部材を回動自在に支持する回動支持具と、光接続部収納トレーの回動軌跡に出没して、光接続部収納トレーと当接することにより光接続部収納トレーの回動を規制し、かつ光接続部収納トレーの荷重を支持する支持部材とを具備し、所定の収納位置から回動された光接続部収納トレーの荷重を支持部材で支持して、一部の光接続部収納トレーに変形力が集中して作用することを防止するようにしたので、光接続部収納トレーの変形が防止され、光接続部収納トレー内に収納した光接続部や接続余長における光信号の伝送を安定に保持することができ、光接続部収納トレーの積層数を増加することが可能となり、より多数の光接続部の収納に対応することができる。
また、本発明に係る光ファイバケーブル用接続端子函は、目的の光接続部収納トレーにおいて光ファイバの接続切り替え等の作業を行う場合には、スリーブを取り外し、固定ネジを緩めてトレー保持部材をヒンジの軸回りに回動してスリーブの外側に移動する。こうすることにより、回動したトレー保持部材に支持されている全ての光接続部収納トレーの側面が平面視露出する。この際、固定ネジは、平面視、トレー保持部材およびこのトレー保持部材上の光接続部収納トレーのスリーブの軸線方向に沿った方向で外側に露出しているので、その位置が分かりやすく、しかも容易に操作することができる。また、ピンがガイド溝に挿通状態のまま移動するので、これらピンのネジ螺着部に固定ネジを締め付けることにより、トレー保持部材をその回動軌跡の任意位置で固定することができる。
【図面の簡単な説明】
【図１】  本発明の光接続部の収納構造の実施の形態を示す図であって、光ファイバケーブル用接続端子函を示す平面図である。
【図２】  図１の光ファイバケーブル用接続端子函を示す側面図である。
【図３】  従来例の光接続部の収納構造を適用した光ファイバケーブル用接続端子函を示す平面図である。
【図４】  図３の光ファイバケーブル用接続端子函を示す側面図である。
【図５】  図３の光ファイバケーブル用接続端子函の支持金具を示す拡大斜視図である。
【図６】  図３の光ファイバケーブル用接続端子函が有する課題を示す拡大側面図である。
【符号の説明】
４…光ファイバ、５…光接続部、６…接続余長、７…光接続部収納トレー、２１…回動支持具、２２…支持具本体、２３…回動支持機構（ヒンジ）、２４…トレー保持部材（支持板）、２５…固定部材（固定ネジ）、３０…支持部材（回転バー）。
【図１】
0003725240.tif 000002
【図２】
0003725240.tif 000003
【図３】
0003725240.tif 000004
【図４】
0003725240.tif 000005
【図５】
0003725240.tif 000006
【図６】
0003725240.tif 000007